(57)【要約】【課題】以前編集した番組と同じ番組を編集したい場合に、同じ編集作業を自動で行うことができる機能を有する情報記録再生装置を提供する。【解決手段】或る番組の録画が開始されるとＥＰＧ記録手段は、テレビ放送信号に含まれるＥＰＧ情報を取り出し、記録媒体にＥＰＧ情報も記録する。そして時間情報記録手段は、番組の編集が開始して編集が行われている時の編集に関する時間情報を当該番組のＥＰＧ情報に対応させて記録媒体に記録させる。次に時間情報検索手段は、以前に編集した番組と同じ番組を録画した場合、以前に編集した番組の時間情報を利用して同じ番組の編集を行う際に、以前番組編集に利用した時間情報を、同じ番組のＥＰＧ情報に基づいて記録媒体から検索する。この後、同番組編集手段は、前記検索された時間情報に従って同じ番組を編集する。同じ番組を再生する場合は、前記検索された時間情報に従って再生する。【選択図】図５
2007134945.tif 000002
【特許請求の範囲】
【請求項１】
テレビ番組を選局するチューナを備え、記録媒体に記録した情報を編集できる機能を有し、記録媒体に対して情報の記録／再生を行う情報記録再生装置において、
前記チューナで選局されたテレビ番組を記録媒体に記録する際にＥＰＧ情報も記録媒体に記録させるＥＰＧ記録手段と、
前記テレビ番組の編集が開始して編集が行われている時の編集に関する時間情報を当該番組のＥＰＧ情報に対応させて前記記録媒体に記録させる時間情報記録手段と、
以前に編集したテレビ番組と同じテレビ番組を記録した場合、以前に編集したテレビ番組の時間情報を利用して前記同じテレビ番組の編集を行う際に、以前番組編集に利用した時間情報を前記同じテレビ番組のＥＰＧ情報に基づいて前記記録媒体から検索する時間情報検索手段と、
前記検索された時間情報に従って前記同じテレビ番組を再生または記録のための編集を行う同番組編集手段と、を有するシステムコントローラを備えたことを特徴とする情報記録再生装置。
【請求項２】
テレビ番組を選局するチューナを備え、記録媒体に記録した情報を編集できる機能を有し、記録媒体に対して情報の記録／再生を行う情報記録再生装置において、
前記チューナで選局されたテレビ番組を記録媒体に記録する際にＥＰＧ情報も記録媒体に記録させ、前記テレビ番組の編集時の時間情報を当該番組のＥＰＧ情報に対応させて前記記録媒体に記録させ、以前に編集したテレビ番組と同じテレビ番組を記録し、前記同じテレビ番組の編集を行う際に、以前番組編集に利用した時間情報を前記同じテレビ番組のＥＰＧ情報に基づいて前記記録媒体から検索し、この検索した時間情報に従って前記同じテレビ番組を再生または記録のための編集を行うシステムコントローラを備えたことを特徴とする情報記録再生装置。
【請求項３】
前記システムコントローラは、前記チューナで選局されたテレビ番組を記録媒体に記録する際にＥＰＧ情報も記録媒体に記録させるＥＰＧ記録手段と、前記テレビ番組の編集が開始して編集が行われている時の編集に関する時間情報を当該番組のＥＰＧ情報に対応させて前記記録媒体に記録させる時間情報記録手段と、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいて前記記録媒体から検索する時間情報検索手段と、前記検索された時間情報に従って前記同じテレビ番組を再生または記録のための編集を行う同番組編集手段とを有することを特徴とする請求項２に記載の情報記録再生装置。
【発明の詳細な説明】
【技術分野】
【０００１】
本発明は、テレビ番組を選局するチューナを備え、記録媒体に記録した情報を編集できる機能を有し、記録媒体に対して情報の記録／再生を行う情報記録再生装置に関し、特に、以前に編集したテレビ番組と同じテレビ番組を再生または記録のための編集を行う際の編集機能に関する。
【背景技術】
【０００２】
近年普及してきているハードディスクやＤＶＤ（デジタル・バーサタイル・ディスク）などのランダムアクセス可能な記録媒体に対して情報の記録／再生を行う情報記録再生装置では、録画（映像信号および音声信号の記録）したテレビ番組に対して、ユーザが自分の好きなように、チャプター編集、ＣＭなどの場面削除、タイトル編集などの番組編集を行うことができるようになってきている。
【０００３】
従来の情報記録再生装置は、録画したテレビ番組を編集する場合、次のような処理で行われる。
【０００４】
リモコンにより編集モードに設定され、ユーザが再生映像を見ながら、編集が開始されると、その番組に対して、チャプター編集、場面削除、タイトル編集などの編集が行われる。チャプター編集とは、録画番組の映像をチャプター毎に区切るため再生映像にチャプターマークを挿入していく編集作業を言う。場面削除は、録画番組の映像の中にユーザにとっては不要なＣＭなどが入っていた場合に、そのＣＭなどを削除する編集作業を言う。タイトル編集とは、録画番組をタイトル毎に区切る編集作業を言う。
【特許文献１】特開２００５−７８６８４号公報
【特許文献２】特開２００５−１９１６１４号公報
【発明の開示】
【発明が解決しようとする課題】
【０００５】
ところで、例えば、毎週同じテレビ番組を録画し、このテレビ番組のＣＭなどを編集により削除したい場合、従来の情報記録再生装置では、毎回同じような編集作業を繰り返し行う必要があるので、ユーザにとっては編集作業が億劫で、操作が面倒であると言う課題があった。
【０００６】
そこで、特許文献１の従来技術では、記録媒体から選択された録画番組が例えば３０分番組であれば、３０分番組用のテンプレート情報ファイルが検索され、選ばれたテンプレート情報ファイルがモニタのメニュー画面の上位に表示されたり、あるいは他のファイルとは色を変えて表示されたりすることによって、複数のテンプレート情報ファイルの中から最適なテンプレート情報ファイルを選択して、この選択された最適なテンプレート情報ファイルに従って３０分番組の再生を行うようにしている。即ち、この従来技術では、テンプレート情報に従って編集された記録データが作成され、この記録データを所定の方式によって信号処理することにより、編集された録画番組が再生されるようになっている。
【０００７】
しかし、同じ３０分番組でも、放送時間帯や番組のジャンルなどによって、ＣＭの入る時間が異なるので、複数のテンプレート情報ファイルの中から最適なテンプレート情報ファイルを取り出す操作は煩わしく、また、以前編集した番組と同じ番組を編集したい場合、以前編集した番組のテンプレート情報を探す操作も面倒であるので、複数の同じ番組を編集する処理効率は劣ることになる。
【０００８】
なお、特許文献２の従来技術は、録画された番組中にユーザが本来観たい番組に不必要な部分が挿入された場合、この部分を容易に除去するようにしたものであり、以前編集した番組と同じ番組を編集したい場合に行う編集処理に関するものではない。
【０００９】
本発明は、上記のような課題を解決するためになされたもので、以前編集した番組と同じ番組を編集したい場合に、同じ編集作業を自動で行うことができる機能を有する情報記録再生装置を提供することを目的とする。
【課題を解決するための手段】
【００１０】
上記目的を達成するために、請求項１の発明は、テレビ番組を選局するチューナを備え、記録媒体に記録した情報を編集できる機能を有し、記録媒体に対して情報の記録／再生を行う情報記録再生装置において、前記チューナで選局されたテレビ番組を記録媒体に記録する際にＥＰＧ（電子番組表）情報も記録媒体に記録させるＥＰＧ記録手段と、前記テレビ番組の編集が開始して編集が行われている時の編集に関する時間情報を当該番組のＥＰＧ情報に対応させて前記記録媒体に記録させる時間情報記録手段と、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいて前記記録媒体から検索する時間情報検索手段と、前記検索された時間情報に従って前記同じテレビ番組を再生または記録のための編集を行う同番組編集手段とを有するシステムコントローラを備えたことを特徴とする情報記録再生装置を提供する。
【００１１】
この構成において、チューナで選局されたテレビ番組の録画が開始されるとＥＰＧ記録手段は、チューナからのテレビ放送信号に含まれるＥＰＧ情報を取り出し、記録媒体にＥＰＧ情報も記録する。そして、時間情報記録手段は、前記テレビ番組の編集が開始して編集が行われている時の編集に関する時間情報を当該番組のＥＰＧ情報に対応させて前記記録媒体に記録させる。次に、時間情報検索手段は、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいて前記記録媒体から検索する。この後、同番組編集手段は、前記検索された時間情報に従って前記同じテレビ番組を編集する。
【００１２】
したがって、編集後、前記同じテレビ番組を記録媒体から読出して再生する場合は、以前番組編集に利用した時間情報に従って再生されるので、以前編集したテレビ番組と同様、ユーザにとっては不要なＣＭなどの場面はスキップされ、再生されることはない。また、編集後、前記同じテレビ番組を記録媒体に記録する場合は、以前番組編集に利用した時間情報に従って記録されるので、以前編集したテレビ番組と同様、ユーザにとっては不要なＣＭなどの場面はスキップされ、記録されることはなく、再生時には不要なＣＭなどの場面は出ることがない。
【００１３】
この構成によれば、以前編集した番組と同じ番組を編集したい場合に、以前の番組の編集に用いた時間情報により、同じ編集作業を自動で行うことができるので、毎回同じような編集作業を繰り返し行う必要がなくなり、これにより、ユーザにとっては編集作業が簡単化する。また、編集に関する時間情報を当該番組のＥＰＧ情報に対応させて記録媒体に記録させたので、編集処理に用いる時間情報をＥＰＧ情報により簡単に検索でき、編集処理の効率も向上する。
【００１４】
請求項２の発明は、テレビ番組を選局するチューナを備え、記録媒体に記録した情報を編集できる機能を有し、記録媒体に対して情報の記録／再生を行う情報記録再生装置において、前記チューナで選局されたテレビ番組を記録媒体に記録する際にＥＰＧ情報も記録媒体に記録させ、前記テレビ番組の編集時の時間情報を当該番組のＥＰＧ情報に対応させて前記記録媒体に記録させ、以前に編集したテレビ番組と同じテレビ番組を記録し、前記同じテレビ番組の編集を行う際に、以前番組編集に利用した時間情報を前記同じテレビ番組のＥＰＧ情報に基づいて前記記録媒体から検索し、この検索した時間情報に従って前記同じテレビ番組を再生または記録のための編集を行うシステムコントローラを備えたことを特徴とする情報記録再生装置を提供する。
【００１５】
この構成において、チューナで選局されたテレビ番組は、記録媒体に記録する際にＥＰＧ情報も一緒に記録媒体に記録される。そして、記録媒体に記録されたテレビ番組の編集を行うと、テレビ番組の編集時の時間情報は、当該番組のＥＰＧ情報に対応させて前記記録媒体に記録される。以前に編集したテレビ番組と同じテレビ番組を記録し、前記同じテレビ番組の編集を行う際には、以前番組編集に利用した時間情報が前記同じテレビ番組のＥＰＧ情報に基づいて前記記録媒体から検索され、この検索された時間情報に従って前記同じテレビ番組が編集される。
【００１６】
したがって、編集後、前記同じテレビ番組を記録媒体から読出して再生する場合は、以前番組編集に利用した時間情報に従って再生されるので、以前編集したテレビ番組と同様、ユーザにとっては不要なＣＭなどの場面はスキップされ、再生されることはない。また、編集後、前記同じテレビ番組を記録媒体に記録する場合は、以前番組編集に利用した時間情報に従って記録されるので、以前編集したテレビ番組と同様、ユーザにとっては不要なＣＭなどの場面はスキップされ、記録されることはなく、再生時には不要なＣＭなどの場面は出ることがない。
【００１７】
この構成によれば、以前編集した番組と同じ番組を編集したい場合に、以前の番組の編集に用いた時間情報により、同じ編集作業を自動で行うことができるので、毎回同じような編集作業を繰り返し行う必要がなくなり、これにより、ユーザにとっては編集作業が簡単化する。また、編集に関する時間情報を当該番組のＥＰＧ情報に対応させて記録媒体に記録させたので、編集処理に用いる時間情報をＥＰＧ情報により簡単に検索でき、編集処理の効率も向上する。
【００１８】
請求項３の発明では、請求項２の発明において、前記システムコントローラは、前記チューナで選局されたテレビ番組を記録媒体に記録する際にＥＰＧ情報も記録媒体に記録させるＥＰＧ記録手段と、前記テレビ番組の編集が開始して編集が行われている時の編集に関する時間情報を当該番組のＥＰＧ情報に対応させて前記記録媒体に記録させる時間情報記録手段と、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいて前記記録媒体から検索する時間情報検索手段と、前記検索された時間情報に従って前記同じテレビ番組を再生または記録のための編集を行う同番組編集手段とを有する。
【００１９】
したがって、前記システムコントローラは、ＥＰＧ記録処理、時間情報記録処理、時間情報検索処理、および同番組編集処理を実現でき、これにより、以前編集した番組と同じ番組を編集したい場合に、以前の番組の編集に用いた時間情報により、同じ編集作業を自動で行わせることが可能になる。
【発明の効果】
【００２０】
以上のように本発明によれば、テレビ番組を選局するチューナを備え、記録媒体に記録した情報を編集できる機能を有し、記録媒体に対して情報の記録／再生を行う情報記録再生装置において、前記チューナで選局されたテレビ番組を記録媒体に記録する際にＥＰＧ情報も記録媒体に記録させるＥＰＧ記録手段と、前記テレビ番組の編集が開始して編集が行われている時の編集に関する時間情報を当該番組のＥＰＧ情報に対応させて前記記録媒体に記録させる時間情報記録手段と、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいて前記記録媒体から検索する時間情報検索手段と、前記検索された時間情報に従って前記同じテレビ番組を再生または記録のための編集を行う同番組編集手段とを有するシステムコントローラを備えたので、以前編集した番組と同じ番組を編集したい場合に、以前の番組の編集に用いた時間情報により、同じ編集作業を自動で行うことができて、毎回同じような編集作業を繰り返し行う必要がなくなり、これにより、ユーザにとっては編集作業が簡単化する。また、編集に関する時間情報を当該番組のＥＰＧ情報に対応させて記録媒体に記録させたので、編集処理に用いる時間情報をＥＰＧ情報により簡単に検索でき、編集処理の効率も向上する。
【００２１】
また、本発明によれば、テレビ番組を選局するチューナを備え、記録媒体に記録した情報を編集できる機能を有し、記録媒体に対して情報の記録／再生を行う情報記録再生装置において、前記チューナで選局されたテレビ番組を記録媒体に記録する際にＥＰＧ情報も記録媒体に記録させ、前記テレビ番組の編集時の時間情報を当該番組のＥＰＧ情報に対応させて前記記録媒体に記録させ、以前に編集したテレビ番組と同じテレビ番組を記録し、前記同じテレビ番組の編集を行う際に、以前番組編集に利用した時間情報を前記同じテレビ番組のＥＰＧ情報に基づいて前記記録媒体から検索し、この検索した時間情報に従って前記同じテレビ番組を再生または記録のための編集を行うシステムコントローラを備えたので、以前編集した番組と同じ番組を編集したい場合に、以前の番組の編集に用いた時間情報により、同じ編集作業を自動で行うことができて、毎回同じような編集作業を繰り返し行う必要がなくなり、これにより、ユーザにとっては編集作業が簡単化する。また、編集に関する時間情報を当該番組のＥＰＧ情報に対応させて記録媒体に記録させたので、編集処理に用いる時間情報をＥＰＧ情報により簡単に検索でき、編集処理の効率も向上する。
【発明を実施するための最良の形態】
【００２２】
以下、添付図面を参照しつつ、本発明の実施の形態について説明する。図１は本発明の一実施形態に係る情報記録再生装置としての複合型記録再生装置の構成を示すブロック図である。ここでは、複合型記録再生装置を例に挙げて説明するが、ハードディスクレコーダ（ハードディスク装置）単体、ＤＶＤレコーダ（光ディスク装置）単体であっても同様な編集処理を適用できることは言うまでもない。
【００２３】
この複合型記録再生装置１は、光ディスクとしてのＤＶＤ１３に対して情報の記録／再生を行う光ディスク装置２と、ＨＤ（ハードディスク）１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２４】
システムコントローラ１０は、本実施形態の特徴として、チューナ４で選局されたテレビ番組をＨＤ１４またはＤＶＤ１３に記録する際にＥＰＧ情報もＨＤ１４またはＤＶＤ１３に記録させるＥＰＧ記録手段１０１と、前記テレビ番組の編集が開始して編集が行われている時の編集に関する時間情報を当該番組のＥＰＧ情報に対応させてＨＤ１４またはＤＶＤ１３に記録させる時間情報記録手段１０２と、以前に編集したテレビ番組と同じテレビ番組を記録した場合、以前に編集した番組の時間情報を利用して前記同じテレビ番組の編集を行う際に、以前番組編集に利用した時間情報を前記同じテレビ番組のＥＰＧ情報に基づいてＨＤ１４またはＤＶＤ１３から検索する時間情報検索手段１０３と、前記検索された時間情報に従って前記同じテレビ番組を再生または記録のための編集を行う同番組編集手段１０４とを有する。
【００２５】
図２は本実施形態において以前に編集したテレビ番組と同じテレビ番組を編集する場合に用いられる時間情報の一例を説明するための図である。これらの二つのテレビ番組は、同じチャンネル、同じ曜日、同じ時間帯で放送された同じ番組であるとする。
【００２６】
図２（１）は、以前に編集したテレビ番組であり、録画開始（スタート）から５分から６分の間と、２０分から２１分の間には、例えば、ＣＭ（コマーシャル）記録されているので、この部分を削除するために時間情報が入れられている。したがって、再生時には、５分から６分の間と、２０分から２１分の間は、スキップされるので、ＣＭは再生されないことになる。
【００２７】
図２（２）は、以前に編集したテレビ番組の時間情報を用いて編集された同じテレビ番組であり、この場合も、録画開始（スタート）から５分から６分の間と、２０分から２１分の間には、例えば、ＣＭ（コマーシャル）記録されているので、この部分を削除するために時間情報が入れられることになる。したがって、再生時には、５分から６分の間と、２０分から２１分の間は、スキップされるので、ＣＭは再生されないことになる。このように、以前編集したテレビ番組と同じテレビ番組を編集する場合は、以前の時間情報を使用できるので、ユーザは編集作業をする必要がなくなり、使い勝手が良くなる。
【００２８】
図３は本実施形態において或るテレビ番組を初めて編集する場合の処理を説明するためのフローチャートである。このフローチャートおよび図１、図２を参照して或るテレビ番組を初めて編集する場合の処理を説明する。
【００２９】
ここでの説明では、ＨＤ１４にチューナ４で選局された或るテレビ番組（以下、単に番組と言う）を録画（映像信号および音声信号を記録）するとして説明する。リモコン１１のモード設定キーにより、ハードディスクモードに設定されて、リモコン１１の録画キー（記録キー）の押下により、または予約録画の録画開始日時の到達により、システムコントローラ１０はハードディスク装置３を駆動させ、ＨＤ１４に対して録画が開始されると（ステップＳ１）、システムコントローラ１０のＥＰＧ記録手段１０１は、チューナ４からのテレビ放送信号に含まれるＥＰＧ情報を取り出し、ハードディスク装置３を介してＨＤ１４にＥＰＧ情報も記録する。即ち、ハードディスク装置３は、ＨＤ１４に対して番組の録画と共に、その番組のＥＰＧ情報も記録する（ステップＳ２）。
【００３０】
そして、その番組の録画が終了して、リモコン１１により編集モードに設定され、ユーザが再生映像を見ながら、編集が開始されると（ステップＳ３）、その番組に対して、チャプター編集、場面削除、タイトル編集などの編集が行われる（ステップＳ４）。チャプター編集とは、録画番組の映像をチャプター毎に区切るため再生映像にチャプターマークを挿入していく編集作業を言う。場面削除は、録画番組の映像の中にユーザにとっては不要なＣＭなどが入っていた場合に、そのＣＭなどを削除する編集作業を言う（図２参照）。タイトル編集とは、録画番組をタイトル毎に区切る編集作業を言う。
【００３１】
このような編集作業により録画番組が編集され、システムコントローラ１０の時間情報記録手段１０２は、その編集時に用いられた時間情報を当該番組のＥＰＧ情報に対応させてハードディスク装置３を介してＨＤ１４に記録する（ステップＳ５）。当該番組のＥＰＧ情報には、チャンネル、番組名、放送日、放送曜日、放送開始時刻、放送終了時刻などの情報が含まれているので、このＥＰＧ情報に対応させて時間情報をテーブルとして持てば、以後、同じ番組を編集する場合に、その同じ番組のＥＰＧ情報（チャンネル、番組名、放送曜日、放送開始時刻、放送終了時刻）と、以前編集した同じ番組のＥＰＧ情報（チャンネル、番組名、放送曜日、放送開始時刻、放送終了時刻）とは、同じになるので、編集に利用したい時間情報を検索することが容易になる。
【００３２】
当該番組に対するチャプター編集、場面削除、タイトル編集などの編集が完了すると、本編集処理は終了する（ステップＳ６）。番組の編集としては、再生時に編集内容に応じた映像および音声が再生されれば良いので、時間情報に従って不要な場面をスキップして再生する方法と、時間情報に従って不要な場面を削除した番組をそのままＨＤ１４またはＤＶＤ１３に記録し、再生時には、不要な場面を出さない方法とがある。
【００３３】
図４は本実施形態において編集されたテレビ番組を再生する場合の処理を説明するためのフローチャートである。このフローチャートおよび図１、図２を参照して編集されたテレビ番組を再生する場合の処理を説明する。
【００３４】
図３に示す処理によって編集された番組を再生させるため、リモコン１１の再生キーが押下されると、システムコントローラ１０は、ハードディスク装置３を駆動してＨＤ１４に対する再生を開始する（ステップＳ７）。この時、システムコントローラ１０の時間情報検索手段１０３は、当該番組のＥＰＧ情報（チャンネル、番組名、放送曜日、放送開始時刻、放送終了時刻）に対応した時間情報をＨＤ１４から検索し（ステップＳ８）、一旦バッファメモリ（図示せず）に格納する。
【００３５】
次に、システムコントローラ１０は、前記バッファメモリに格納された時間情報に従ってハードディスク装置３を制御してＨＤ１４に記録された当該番組の映像音声を再生させる（ステップＳ９）。この再生された当該番組の映像音声信号は、デコーダ５で複合化され、映像信号は、映像出力部７で表示用の映像信号に変換され、音声信号は、音声出力用の音声信号に変換される。モニタ装置１２は、映像出力部７からの表示用の映像信号により当該番組の再生映像を表示部（図示せず）に表示すると共に、音声出力部８からの音声出力用の音声信号によりスピーカ（図示せず）から再生音声を出力する。
【００３６】
ここで、モニタ装置１２に表示される当該番組の再生映像と再生音声は、図２でも説明したように時間情報に従って再生されるので、編集時に場面削除したＣＭなどはスキップされることにより、再生されることはない。また、当該番組は、編集されたチャプターやタイトルで区切ることができるので、ユーザが選択したチャプターやタイトルを再生することができる。
【００３７】
図５は本実施形態において以前に編集したテレビ番組の時間情報を用いて同じテレビ番組を編集する場合の処理を説明するためのフローチャートである。このフローチャートおよび図１、図２を参照して以前に編集したテレビ番組の時間情報を用いて同じテレビ番組を編集する場合の処理を説明する。
【００３８】
ここでの説明では、ＨＤ１４に以前編集された番組と同じ番組を録画するものとして説明する。リモコン１１のモード設定キーにより、ハードディスクモードに設定されて、リモコン１１の録画キーの押下により、または予約録画の録画開始日時の到達により、システムコントローラ１０はハードディスク装置３を駆動させ、ＨＤ１４に対して録画が開始されると（ステップＳ１１）、システムコントローラ１０のＥＰＧ記録手段１０１は、チューナ４からのテレビ放送信号に含まれるＥＰＧ情報を取り出し、ハードディスク装置３を介してＨＤ１４にＥＰＧ情報も記録する。即ち、ハードディスク装置３は、ＨＤ１４に対して番組の録画と共に、その番組のＥＰＧ情報も記録する（ステップＳ１２）。
【００３９】
そして、その番組の録画が終了して、当該同じ番組を編集するのに、以前に編集した番組の時間情報を利用するかどうかの選択を行うための選択メニューをモニタ装置１２に表示させる（ステップＳ１３）。この選択メニューを見たユーザは、リモコン１１を操作して、以前に編集した番組の時間情報を利用する方を選択すると、システムコントローラ１０の時間情報検索手段１０３は、当該同じ番組のＥＰＧ情報（チャンネル、番組名、放送曜日、放送開始時刻、放送終了時刻）に対応した時間情報をＨＤ１４から検索し（ステップＳ１４）、一旦バッファメモリ（図示せず）に格納する。この場合、以前に編集した番組の時間情報がＨＤ１４から検索されることになる。
【００４０】
次に、システムコントローラ１０の同番組編集手段１０４は、前記バッファメモリに格納された時間情報に従ってハードディスク装置３を制御してＨＤ１４に記録された当該同じ番組を編集する（ステップＳ１５）。なお、ステップＳ１２の処理とステップＳ１５の処理を並行して行うことにより、当該同じ番組を録画を行いながら編集も同時に行うことができる。
【００４１】
編集後、前記同じ番組をＨＤ１４から読出して再生する場合は、以前番組編集に利用した時間情報に従って再生されるので、以前編集した番組と同様、ユーザにとっては不要なＣＭなどの場面はスキップされて再生されることはない。また、編集後、前記同じ番組をＨＤ１４またはＤＶＤ１３に録画する場合は、以前番組編集に利用した時間情報に従って録画されるので、以前編集した番組と同様、ユーザにとっては不要なＣＭなどの場面はスキップされて録画されることはなく、再生時には不要なＣＭなどの場面は出ることがない。もし、同じ番組を再生したときに、例えば、ＣＭの一部が残っていた場合は、その部分だけを編集し直せば良いので、最初から編集するのに比べて編集作業も楽になる。
【００４２】
一方、以前に編集した番組の時間情報を利用しない場合は（ステップＳ１３）、初めての番組を録画して、編集する場合と同じで、当該番組に対して、チャプター編集、場面削除、タイトル編集などの編集が行われる（ステップＳ１７）。このような編集作業により録画番組が編集され、システムコントローラ１０の時間情報記録手段１０２は、その編集時に用いられた時間情報を当該番組のＥＰＧ情報に対応させてハードディスク装置３を介してＨＤ１４に記録する（ステップＳ１８）。当該番組に対するチャプター編集、場面削除、タイトル編集などの編集が完了すると、本編集処理は終了する（ステップＳ１９）。
【００４３】
以上説明したように本実施形態によれば、以前編集した番組と同じ番組を編集したい場合に、以前の番組の編集に用いた時間情報により、同じ編集作業を自動で行うことができて、毎回同じような編集作業を繰り返し行う必要がなくなり、これにより、ユーザにとっては編集作業が簡単化する。また、編集に関する時間情報を当該番組のＥＰＧ情報に対応させて記録媒体に記録させたので、編集処理に用いる時間情報をＥＰＧ情報により簡単に検索でき、編集処理の効率も向上する。
【図面の簡単な説明】
【００４４】
【図１】本発明の一実施形態に係る情報記録再生装置としての複合型記録再生装置の構成を示すブロック図である。
【図２】前記実施形態において以前に編集したテレビ番組と同じテレビ番組を編集する場合に用いられる時間情報の一例を説明するための図である。
【図３】前記実施形態において或るテレビ番組を初めて編集する場合の処理を説明するためのフローチャートである。
【図４】前記実施形態において編集されたテレビ番組を再生する場合の処理を説明するためのフローチャートである。
【図５】前記実施形態において以前に編集したテレビ番組の時間情報を用いて同じテレビ番組を編集する場合の処理を説明するためのフローチャートである。
【符号の説明】
【００４５】
２    光ディスク装置（情報記録再生装置）
３    ハードディスク装置（情報記録再生装置）
４    チューナ
１０    システムコントローラ
１３    ＤＶＤ（記録媒体）
１４    ＨＤ（記録媒体）
１０１    ＥＰＧ記録手段
１０２    時間情報記録手段
１０３    時間情報検索手段
１０４    同番組編集手段
【図１】
2007134945.tif 000003
【図２】
2007134945.tif 000004
【図３】
2007134945.tif 000005
【図４】
2007134945.tif 000006
【図５】
2007134945.tif 000007